(57)【要約】【課題】  リモコンによる操作に連動して開閉する開閉扉を備えた表示装置収容構造体の開閉扉構造であって、リモコンから発せられる遠隔制御信号を通すことができる開閉扉の信号通過部を、透視性を有していない素材を使用して構成することにある。【解決手段】表示装置収容構造体１の開閉扉構造は、表示装置２の表示画面前方で開閉する開閉扉３ａ，３ｂを有している。各開閉扉３ａ，３ｂの信号通過部３２は、向かい合わせに配置された透視性を有する板ガラス３２１，３２２と、該板ガラス３２１，３２２の間に挟まれて設けられ、リモートコントロール送信機の遠隔制御信号が通過する厚さを有する突板３２３と、を備えて構成してある。【選択図】  図８
2008101348.tif 000002
【特許請求の範囲】
【請求項１】
リモートコントロール送信機による表示装置(2)のＯＮ／ＯＦＦの切替に連動して、表示装置(2)の表示画面前方で開閉する開閉扉(3a,3b)(3c,3d)を備え、
該開閉扉(3a,3b)(3c,3d)は、閉じた開閉扉(3a,3b)(3c,3d)の後方に位置する表示装置(2)の信号受信部(21)が上記リモートコントロール送信機から発せられる遠隔制御信号を受けることができるように、該遠隔制御信号が通過する信号通過部(32)(32c,32d)を有しているか、または該信号通過部で全体が構成されている表示装置収容構造体(1)(1a)の開閉扉構造であって、
上記信号通過部(32)(32c,32d)は、
透視性を有すると共に上記遠隔制御信号が通過する板状体(321,322)と、
該板状体(321,322)の間に挟まれるようにして設けてあるか、または該板状体(321)の一方または双方の面に重ねて設けてあり、透視性を有していないと共に上記遠隔制御信号が通過する厚さの非透視性シート(323)と、
を備えて構成されている、
表示装置収容構造体の開閉扉構造。
【請求項２】
非透視性シート(323)の素材は、表示装置収容構造体(1)(1a)に使用されている素材を考慮して選択されている、
請求項１記載の表示装置収容構造体の開閉扉構造。
【請求項３】
非透視性シート(323)が突板、紙、織物、有色のフィルムからなる群から選ばれた一または二以上の材料で形成されている、
請求項１または２記載の表示装置収容構造体の開閉扉構造。
【請求項４】
透視性を有する板状体(321)が板ガラスであり、非透視性シート(323)が突板である、
請求項１ないし３のいずれかに記載の表示装置収容構造体の開閉扉構造。
【請求項５】
リモートコントロール送信機による表示装置(2)のＯＮ／ＯＦＦの切替に連動して、表示装置(2)の表示画面前方で開閉する開閉扉(3a,3b)(3c,3d)を備え、
該開閉扉(3a,3b)(3c,3d)は、閉じた開閉扉(3a,3b)(3c,3d)の後方に位置する表示装置(2)の信号受信部(21)が上記リモートコントロール送信機から発せられる遠隔制御信号を受けることができるように、該遠隔制御信号が通過する信号通過部(32)(32c,32d)を有しているか、または該信号通過部で全体が構成されている表示装置収容構造体(1)(1a)の開閉扉構造であって、
該信号通過部(32)(32c,32d)は、  
向かい合わせに配置された透視性を有する板ガラス(321,322)と、
該板ガラス(321,322)の間に挟まれて設けられ、上記遠隔制御信号が通過する厚さを有しており、表面素材として木製素材が使用されている上記表示装置収容構造体(1)(1a)を考慮して意匠が選ばれた突板(323)と、
を備えて構成してある、
表示装置収容構造体の開閉扉構造。
【請求項６】
突板の厚みが０．１５〜１．００ｍｍである、
請求項１ないし５のいずれかに記載の表示装置収容構造体の開閉扉構造。
【請求項７】
請求項１ないし６のいずれかに記載の開閉扉構造を備えた、
表示装置収容構造体。
【請求項８】
請求項１ないし６のいずれかに記載の開閉扉構造と、
表示装置(2)に流れる電流の電圧を検知する電圧検知手段と、
該電圧検知手段が検知した電圧が予め設定された設定電圧よりも高い場合に、表示装置(2)がＯＮの状態になったと判断して上記開閉扉(3a,3b)(3c,3d)が開いた状態になるように制御し、上記検知手段が検知した電圧が予め設定された設定電圧よりも低い場合に、表示装置(2)がＯＦＦの状態になったと判断して上記開閉扉(3a,3b)(3c,3d)を閉じた状態になるように制御する開閉制御手段と、
を有している、
表示装置収容構造体。
【請求項９】
左右両開きに開閉する引き戸式の一対の開閉扉(3a,3b)(3c,3d)で構成されている請求項１ないし６のいずれかに記載の開閉扉構造と、
表示装置(2)が収容されると共に、収容した表示装置(2)の表示画面前方に配置される開口部を有する収容構造体本体(5)と、
収容構造体本体(5)の上部側に取り付けられている扉開閉装置(6)と、
を備え、
上記扉開閉装置(6)は、
上記開口部を閉じるように開閉扉(3a,3b)(3c,3d)を吊り下げると共に、吊り下げた開閉扉(3a,3b)(3c,3d)を開閉可能に駆動させる吊下駆動手段(62)と、
表示装置(2)の電源のＯＮ／ＯＦＦ切替時の電圧を検知する電圧検知手段と、
該電圧検知手段が検知した電圧が予め設定された設定電圧よりも高い場合に、表示装置(2)がＯＮの状態になったと判断して上記開閉扉(3a,3b)(3c,3d)が開いた状態になるように吊下駆動手段(62)を制御し、上記検知手段が検知した電圧が予め設定された設定電圧よりも低い場合に、表示装置(2)がＯＦＦの状態になったと判断して上記開閉扉(3a,3b)(3c,3d)を閉じた状態になるように吊下駆動手段(62)を制御する開閉制御手段と、
を有している、
表示装置収容構造体。
【発明の詳細な説明】
【技術分野】
【０００１】
本発明は、表示装置収容構造体の開閉扉構造及び表示装置収容構造体に関する。
更に詳しくは、リモートコントロール送信機による表示装置のＯＮ／ＯＦＦの切替に連動して開閉する開閉扉を備えた表示装置収容構造体の開閉扉構造及び表示装置収容構造体であって、リモコンから発せられる遠隔制御信号を通すことができる開閉扉の信号通過部を、透視性を有していない素材を使用して構成したものに関する。
【背景技術】
【０００２】
近年、プラズマディスプレイや液晶ディスプレイ等のフラットパネルディスプレイの登場により、テレビジョン受信機（以下、本明細書では単に「テレビ」という場合がある）の薄型化が実現した。これにより、一般家庭におけるテレビの大画面化が急速に進み、迫力の大画面映像を気軽に楽しむことができるようになった。しかしその反面、テレビを視聴しないときの大画面が与える圧迫感は、落ち着いたリビングの雰囲気を阻害し、あまり好ましいものとは言えない。
【０００３】
そこで、本発明者は先に、スライドシャッター式の開閉扉を備えたテレビ用キャビネットを提案した（特許文献１）。
【特許文献１】登録実用新案第３１１０３９１号公報（第３図）
【０００４】
即ち、テレビを視聴していないときには、テレビ画面が開閉扉で覆われてキャビネット内部に格納されている。そして、視聴時にリモートコントロール送信機（以下、本明細書では単に「リモコン」という場合がある）のスイッチを入れてテレビ電源をＯＮにすることにより、テレビ電源に連動したモーターが稼働して開閉扉をキャビネット後方に収納させ、テレビ画面を視聴可能な状態にする。更に、開閉扉には、リモコンの赤外線発光を受信するために、赤外線受光部付近にあたる開閉扉の下部付近に、赤外線が透過するアクリル板を取り付けた窓が設けてある。
【発明の開示】
【発明が解決しようとする課題】
【０００５】
本発明者が先に提案した上記テレビ用キャビネットは、視聴していないときに開閉扉を閉じてテレビ画面を見えないように隠すことで、大画面から受ける圧迫感を軽減することができ、十分に実用的である。しかしながら、上記したように、リモコンの赤外線信号を受信するために、開閉扉の下部付近にアクリル板を取り付けた窓である信号通過部を取り付けているため、以下のような改良の余地があった。
【０００６】
即ち、市販の大画面テレビでは、赤外線受光部が概ねテレビの下部側に設けてあるものの、テレビのデザインや画面の大きさによって、あるいはテレビ画面を支える脚部の有無（壁掛け型か、据え置き型か等）によって、赤外線受光部の位置は様々である。よって、市販されている各種のテレビに合わせるためには、開閉扉の下部側等に赤外線を透過する信号通過部の面積をできるだけ広く設ける必要がある。しかしながら、アクリル板は透明性に優れているため、その窓を広くすると、開閉扉を閉めていても後方のテレビが見えてしまい、目隠しとしての要をなさない。  
【０００７】
更に高級感を出すために、例えば黒檀や紫檀等の高級木材を使用して木製のキャビネットを製作しても、開閉扉の一部がアクリル板では、木製品特有の温かい感触や外観等の印象が薄れると共に、デザイン上の一体感も損なわれ、低廉な感じがしてしまう。
【０００８】
このような事情から本発明者は、まずは、開閉扉全体を木製素材で作ることができないかという発想のもとに研究を進めた。言うまでもなく、木製素材はアクリル板と相違して透視性を有していないので、開閉扉全体を木製素材で作れば後方のテレビを隠すことができ、更に木製のキャビネットに採用した場合でも、デザイン上の一体感は損なわれにくい。
【０００９】
しかしながら、単に例えばフラッシュ構造（桟状の芯の両面に合板を張って作られる板体構造）の板体で作った木製の開閉扉では、リモコンの赤外線信号が通過しないため、開閉扉後方のテレビに赤外線信号は届かない。
【００１０】
そこで、本発明者は、リモコンの赤外線信号を通すことができる木製素材について鋭意研究を努めた結果、化粧板の表面材等に使用される突板に着目し、更に鋭意検討を重ねた結果、上記した課題を解決することができる開閉扉構造の開発に成功し、本発明を完成するに至った。更に、和紙や布等の他の素材の適用についても鋭意検討を重ね、本発明を完成したものである。
【００１１】
（本発明の目的）              
そこで本発明の目的は、リモコンによる操作に連動して開閉する開閉扉を備えた表示装置収容構造体の開閉扉構造であって、リモコンから発せられる遠隔制御信号を通すことができる開閉扉の信号通過部を、透視性を有していない素材を使用して構成することにある。
【００１２】
本発明の他の目的は、開閉扉に占める信号通過部の面積を広くした場合でも、表示装置収容構造体とのデザイン上の一体感が損なわれないようにすることにある。
【００１３】
また本発明の他の目的は、リモコンの遠隔制御信号が通過しにくい木製素材であっても、遠隔制御信号が通過する信号通過部を構成できるようにし、これによって表示装置収容構造体を木製素材で形成した場合のデザイン上の一体感が損なわれないようにすることにある。
【００１４】
更に本発明の他の目的は、木製素材を使用して信号通過部を形成した場合でも、信号通過部に埃や汚れが付着しにくく、また付着しても濡れた雑巾で簡単に拭きとることができるようにすることにある。
【００１５】
また更に本発明の他の目的は、上記した開閉扉構造を備えた表示装置収容構造体を提供することにある。
【課題を解決するための手段】
【００１６】
上記目的を達成するために本発明が講じた手段は次のとおりである。
なお、後述する作用の説明の理解を助けるため、図面において使用した符号を括弧を用いて記載しているが、各構成要件を図面記載のものに限定するものではない。
【００１７】
本発明は、リモートコントロール送信機による表示装置(2)のＯＮ／ＯＦＦの切替に連動して、表示装置(2)の表示画面前方で開閉する開閉扉(3a,3b)(3c,3d)を備え、該開閉扉(3a,3b)(3c,3d)は、閉じた開閉扉(3a,3b)(3c,3d)の後方に位置する表示装置(2)の信号受信部(21)が上記リモートコントロール送信機から発せられる遠隔制御信号を受けることができるように、該遠隔制御信号が通過する信号通過部(32)(32c,32d)を有しているか、または該信号通過部で全体が構成されている表示装置収容構造体(1)(1a)の開閉扉構造であって、上記信号通過部(32)(32c,32d)は、透視性を有すると共に上記遠隔制御信号が通過する板状体(321,322)と、該板状体(321,322)の間に挟まれるようにして設けてあるか、または該板状体(321)の一方または双方の面に重ねて設けてあり、透視性を有していないと共に上記遠隔制御信号が通過する厚さの非透視性シート(323)と、を備えて構成されている、表示装置収容構造体(1)(1a)の開閉扉構造である。
【００１８】
本発明は、非透視性シート(323)の素材が、表示装置収容構造体(1)(1a)に使用されている素材を考慮して選択されている、表示装置収容構造体の開閉扉構造である。
【００１９】
本発明は、上記非透視性シート(323)が突板、紙、織物、有色のフィルムからなる群から選ばれた一または二以上の材料で形成されている、表示装置収容構造体の開閉扉構造である。
【００２０】
本発明は、上記透視性を有する板状体(321)が板ガラスであり、非透視性シート(323)が突板である、表示装置収容構造体の開閉扉構造である。
【００２１】
本発明は、リモートコントロール送信機による表示装置(2)のＯＮ／ＯＦＦの切替に連動して、表示装置(2)の表示画面前方で開閉する開閉扉(3a,3b)(3c,3d)を備え、該開閉扉(3a,3b)(3c,3d)は、閉じた開閉扉(3a,3b)(3c,3d)の後方に位置する表示装置(2)の信号受信部(21)が上記リモートコントロール送信機から発せられる遠隔制御信号を受けることができるように、該遠隔制御信号が通過する信号通過部(32)(32c,32d)を有しているか、または該信号通過部で全体が構成されている表示装置収容構造体(1)(1a)の開閉扉構造であって、該信号通過部(32)(32c,32d)は、向かい合わせに配置された透視性を有する板ガラス(321,322)と、該板ガラス(321,322)の間に挟まれて設けられ、上記遠隔制御信号が通過する厚さを有しており、表面素材として木製素材が使用されている上記表示装置収容構造体(1)(1a)を考慮して意匠が選ばれた突板(323)と、を備えて構成してある、表示装置収容構造体の開閉扉構造である。
【００２２】
本発明は、上記した突板の厚みが０．１５〜１．００ｍｍである、表示装置収容構造体の開閉扉構造である。
【００２３】
本発明は、上記開閉扉構造を備えた、表示装置収容構造体である。
【００２４】
本発明は、上記したいずれかに記載の開閉扉構造と、表示装置(2)に流れる電流の電圧を検知する電圧検知手段と、該電圧検知手段が検知した電圧が予め設定された設定電圧よりも高い場合に、表示装置(2)がＯＮの状態になったと判断して上記開閉扉(3a,3b)(3c,3d)が開いた状態になるように制御し、上記検知手段が検知した電圧が予め設定された設定電圧よりも低い場合に、表示装置(2)がＯＦＦの状態になったと判断して上記開閉扉(3a,3b)(3c,3d)を閉じた状態になるように制御する開閉制御手段と、を有している、表示装置収容構造体である。
【００２５】
本発明は、左右両開きに開閉する引き戸式の一対の開閉扉(3a,3b)(3c,3d)で構成されている上記したいずれかに記載の開閉扉構造と、表示装置(2)が収容されると共に、収容した表示装置(2)の表示画面前方に配置される開口部を有する収容構造体本体(5)と、収容構造体本体(5)の上部側に取り付けられている扉開閉装置(6)と、を備え、上記扉開閉装置(6)は、上記開口部を閉じるように開閉扉(3a,3b)(3c,3d)を吊り下げると共に、吊り下げた開閉扉(3a,3b)(3c,3d)を開閉可能に駆動させる吊下駆動手段(62)と、表示装置(2)の電源のＯＮ／ＯＦＦ切替時の電圧を検知する電圧検知手段と、該電圧検知手段が検知した電圧が予め設定された設定電圧よりも高い場合に、表示装置(2)がＯＮの状態になったと判断して上記開閉扉(3a,3b)(3c,3d)が開いた状態になるように吊下駆動手段(62)を制御し、上記検知手段が検知した電圧が予め設定された設定電圧よりも低い場合に、表示装置(2)がＯＦＦの状態になったと判断して上記開閉扉(3a,3b)(3c,3d)を閉じた状態になるように吊下駆動手段(62)を制御する開閉制御手段と、を有している、表示装置収容構造体である。
【００２６】
（作  用）
（ａ）本発明に係る表示装置収容構造体(1)(1a)の開閉扉構造は、次のように作用する。
表示装置(2)の電源をＯＮの状態にすべくリモコンを操作すると、リモコンから発せられる遠隔制御信号が開閉扉(3a,3b)(3c,3d)の信号通過部(32)(32c,32d)を通過し、閉じた開閉扉(3a,3b)(3c,3d)の後方に位置する表示体装置(2)の信号受信部(21)に受信される。これにより、表示装置(2)の電源がＯＮの状態になると共に、開閉扉(3a,3b)(3c,3d)が開いて表示装置(2)を視聴できるようになる。
【００２７】
更に、上記信号通過部(32)(32c,32d)は非透視性シート(323)を有し、透視性を有していない。したがって、例えば開閉扉(3a,3b)(3c,3d)に占める信号通過部(32)(32c,32d)の面積を広くしても、開閉扉(3a,3b)(3c,3d)後方の表示装置(2)を確実に隠すことができる。
【００２８】
（ｂ）また、開閉扉(3a,3b)(3c,3d)の信号通過部(32)(32c,32d)を構成する非透視性シート(323)の素材を、表示装置収容構造体(1)(1a)に使用されている素材を考慮して選択することで、開閉扉に占める信号通過部(32)(32c,32d)の面積を広くした場合でも、表示装置収容構造体(1)(1a)とのデザイン上の一体感が損なわれにくい。
【００２９】
（ｃ）更に、リモコンの遠隔制御信号が通過しにくい木製素材であっても、突板を用いて上記非透視性シートを構成することで、遠隔制御信号が通過する信号通過部を構成できる。
【００３０】
（ｄ）本発明に係る表示装置収容構造体(1)(1a)は、次のように作用する。
［表示装置(2)を視聴するとき］ 
表示装置(2)の電源をＯＮの状態にすべく、リモートコントロール送信機を操作する。そうすると、リモートコントロール送信機から発せられる遠隔制御信号が開閉扉(3a,3b)(3c,3d)の信号通過部(32)(32c,32d)を通過し、閉じた開閉扉(3a,3b)(3c,3d)の後方に位置する表示装置(2)の信号受信部(21)に受信される。これにより、表示装置(2)の電源がＯＮの状態になる。
【００３１】
そうすると、その電源ＯＮ状態の電圧を電圧検知手段が検知する。そして、開閉制御手段が、電圧検知手段が検知した電圧と予め設定された設定電圧とを比較演算し、検知した電圧の方が高いと判断する。これにより、開閉制御手段が表示装置(2)の電源がＯＮの状態になったと判断して、開閉扉(3a,3b)(3c,3d)が開いた状態になるように制御する。その結果、開閉扉(3a,3b)(3c,3d)が開いて、電源がＯＮの状態になった表示装置(2)を視聴できるようになる。
【００３２】
［表示装置(2)の視聴を止めるとき］                                             
表示装置(2)の視聴を止めるときは、表示装置(2)の電源をＯＦＦの状態にすべく、リモートコントロール送信機を操作する。そうすると、リモートコントロール送信機から発せられる遠隔制御信号が表示装置(2)の信号受信部(21)に受信され、表示装置(2)の電源をＯＦＦの状態になる。
【００３３】
そして、表示装置(2)を視聴する場合と同様に、その状態の電圧を電圧検知センサが検知する。更に開閉制御手段が、電圧検知手段が検知した電圧と予め設定された設定電圧とを比較演算し、検知した電圧の方が低いと判断する。これにより、開閉制御手段が表示装置(2)の電源がＯＦＦの状態になったと判断して、開閉扉(3a,3b)(3c,3d)が開いた状態になるように制御する。その結果、開閉扉(3a,3b)(3c,3d)が閉じて、表示装置(2)は開閉扉(3a,3b)(3c,3d)の後方に隠れる。
【発明の効果】
【００３４】
本発明は上記構成を備え、次の効果を有する。
（ａ）本発明によれば、リモートコントロール送信機から発せられる遠隔制御信号を通すことができる開閉扉の信号通過部を、上記遠隔制御信号が通過する厚さの非透視性シートを用いて構成する。これにより、開閉扉の信号通過部を、透視性を有していない素材を使用して構成でき、例えば開閉扉に占める信号通過部の面積を広くした場合でも、開閉扉後方の表示装置を確実に隠すことができる。したがって、製造メーカーや機種によって信号受信部の位置が異なる各種の表示装置に適宜対応することができる。
【００３５】
（ｂ）また信号通過部を構成する非透視性シートの素材を、表示装置収容構造体に使用されている素材を考慮して選択することによって、開閉扉に占める信号通過部の面積を広くした場合でも、開閉扉と表示装置収容構造体とのデザイン上の一体感が損なわれにくいようにすることができる。
【００３６】
（ｃ）更に、リモコンの遠隔制御信号が通過しにくい木製素材であっても、突板を用いて上記非透視性シートを構成することで、遠隔制御信号が通過する信号通過部を構成できる。これにより、表示装置収容構造体を木製素材で形成した場合でも、開閉扉と表示装置収容構造体とのデザイン上の一体感は損なわれにくい。
【００３７】
（ｄ）開閉扉の信号通過部を構成する透視性を有する板状体が板ガラスであり、非透視性シートが突板であるものは、木製素材である突板を使用して信号通過部を形成した場合でも、信号通過部に埃や汚れが付着しにくく、また付着しても濡れた雑巾で簡単に拭きとることができる。
【発明を実施するための最良の形態】
【００３８】
上記したように、開閉扉の信号通過部は、透視性を有すると共に遠隔制御信号が通過する板状体と、透視性を有していないと共に上記遠隔制御信号が通過する厚さの非透視性シートと、で構成されている。非透視性シートは、板状体の間に挟まれるようにして設けることができるし、また板状体の一方または双方の面に重ねて設けることもできる。なお、信号通過部の強度を上げるためには、非透視性シートが板状体の間に挟まれるようにして設けてあることが好ましい。
また開閉扉はその一部が信号通過部で構成されていても良いし、該開閉扉全体が信号通過部で構成されていても良い。
【００３９】
透視性を有する板状体としては、板ガラス、アクリル樹脂製やその他の公知の合成樹脂製の板状体を挙げることができる。
【００４０】
非透視性シートは、例えば突板、紙、織物、不織布、合成樹脂製シートからなる群から選ばれた一または二以上の材料で形成することができる。これらは、単独で、または組み合わせて使用することができる。例えば、異なる素材同士を複数枚重ねて使用することができるし、横に並べて使用することもできる。
【００４１】
突板としては、木目などの美しい材をはいで薄板にしたものを好適に使用できる。紙としては、和紙、障子紙、化粧紙等を挙げることができる。織物としては、例えば綿布、絹布、麻等の天然繊維を織った布、レーヨン、ポリエチレン等の化学繊維製の布、皮革、糸状の合成樹脂を編んだ布、藺草織物等を挙げることができる。合成樹脂製シートとしては、車に使用するカーフィルム等の有色のフィルムを挙げることができる。なお、合成樹脂製シートは、合成樹脂製フィルムも含む広い概念として使用している。
【００４２】
突板を使用する場合、その厚みは０．１５〜１．００ｍｍが好ましく、また０．１５〜０．６０ｍｍがより好ましく、更には０．１５〜０．３０ｍｍが最も好ましい。突板の厚みが薄いものほど、リモートコントロール送信機から発せられる遠隔制御信号を抵抗なく円滑に通過させることができ、より離れた位置からのリモートコントロール送信機による操作が可能となる。
突板の厚みが１．００ｍｍを越えると、リモートコントロール送信機の遠隔制御信号が通過しないか、あるいは近距離からの発信しか通過しなくようになるので好ましくなく、また０．１５ｍｍ未満では厚いものよりも製造が難しくなって、コスト高となるので好ましくない。
【００４３】
また開閉扉は、左右両開きに開閉する引き戸式の一対の扉で構成することができるし、引き戸式の一枚の扉で左右どちらか一方に開閉するように構成することもできる。また開閉扉を、両開き（観音開き）あるいは片開きの開き戸式の扉で構成することもできる。
【００４４】
表示装置としては、プラズマディスプレイや液晶ディスプレイ等のフラットパネルディスプレイを備えたテレビジョン受信機、リアプロジェクションテレビ、プロジェクタスクリーン、ブラウン管テレビ、パーソナルコンピュータのモニタ等を挙げることができる。
【００４５】
なお、以上の具体例はあくまで代表的なものであり、特にこれらに限定するものではない。
【００４６】
以下、本発明を実施例により説明するが、本発明はこれらに限定されるものではない。
【００４７】
本発明を図面に示した実施例に基づき更に詳細に説明する。
【実施例１】
【００４８】
図１ないし図８は、本発明に係る表示装置収容構造体であるキャビネットの一実施例を示す説明図である。
図１は、キャビネットの正面視説明図である。
【００４９】
図２は、図１に示すキャビネットを水平方向に断面して内部構造を表した平面視説明図であり、電源及び配線系統を概略的に図示している。詳しくは、図２の中央から左側は、テレビジョン受信機が設けてあるキャビネット内部の断面説明図であり、図２の中央から右側部分はキャビネットの天井側内部の断面説明図である。
【００５０】
図３は、図１に示すキャビネットの右側面視説明図、
図４は、図１のI−I部分に対応する断面を示す概略説明図、
図５は、図１のII−II部分に対応する断面を示す概略説明図、
図６は、図１で丸Ａで囲んだ部分に対応する部分拡大説明図、
図７は、図５で丸Ｂで囲んだ部分に対応する部分拡大説明図である。
【００５１】
図１に示す符号１は、ディスプレイ装置であるテレビ２（破線で示す）を外から見えないように収容できる表示装置収容構造体であるキャビネットを示している。本実施例では、プラズマディスプレイや液晶ディスプレイ等の薄型の大画面テレビを収容した場合を図示している。
【００５２】
本実施例では、キャビネット１の大きさは、横の長さが２４００ｍｍ、高さが１９７０ｍｍ、厚み方向の長さは４７８ｍｍである。この大きさは、収容するテレビ２の大きさや設置する室内の広さ等を考慮して適宜設定され、特にこの大きさに限定するものではない。
【００５３】
キャビネット１は、リモートコントロール送信機（図示省略）によるテレビ電源のＯＮ／ＯＦＦ切替に連動してテレビ画面前方で開閉する一対の開閉扉３ａ，３ｂが開くことによって（図１で矢印Ｃ方向）、開閉扉３ａ，３ｂ後方に隠れたテレビジョン受信機２を外からみることができるように構成されている。
【００５４】
詳しくは、後述するセンサ制御ボックス４内の電圧検知センサ（図２の右側参照、電圧検知センサは隠れて表れず）がテレビ２に流れる電流の電圧を検知し、この検知した電圧を基に、同じくセンサ制御ボックス４内の開閉制御装置（開閉制御装置は隠れて表れず）が開閉扉３ａ，３ｂの開閉を制御するようになっている。
【００５５】
リモコンは、テレビ電源のＯＮ／ＯＦＦ操作をするための遠隔制御信号である赤外線信号を発する。図１に示すように、テレビ２は、所要の位置（本実施例ではテレビ２の下部側）に赤外線信号を受信する信号受信部２１を備えている。
【００５６】
キャビネット１は、主に木製素材を使用して全体が形成され、外観や手触りなどの印象において木の温もりを感じられるようにしてある。なお、本実施例では、キャビネット１の高級感を高めるために、少なくともキャビネット１表面に黒檀や紫檀等の高級木材が使われている。なお、使用する木材の種類は、特にこれに限定するものではない。
【００５７】
図１に示すように、キャビネット１は、テレビ２を収容するキャビネット本体５と、上記した一対の開閉扉３ａ，３ｂで構成されている扉構造と、キャビネット本体５の天井側に取り付けられている扉開閉装置６と、を備えている。
【００５８】
キャビネット本体５は、収容したテレビ２のテレビ画面前方に位置する開口部（符号省略、開閉扉３ａ，３ｂで閉鎖されている）を有している。以下、この開口部を「画面開口部」という。また図２に示すように、扉開閉装置６は、ケーシング６１と、ケーシング６１内に収容されている吊下駆動装置６２及びセンサ制御ボックス４と、を備えて構成されている。吊下駆動装置６２は、開閉扉３ａ，３ｂを左右方向（キャビネット１の長手方向）に開閉駆動させる。センサ制御ボックス４は、上記したように、電圧検知センサ及び開閉制御装置を収容している。
【００５９】
以下、キャビネット１の各構成部材について、順を追って詳しく説明する。
【００６０】
（キャビネット本体５）
図１に示すように、収容構造体本体であるキャビネット本体５は、台輪５１と、その上の左右一対の下部キャビネット５２ａ，５２ｂと、その上の中央に位置するテレビ収容用キャビネット５３（図２も参照）と、その左右両側に位置する一対の側方キャビネット５４ａ，５４ｂを組み合わせて全体が構成されている。つまり、製造時において、ユニット化された各キャビネット５２ａ，５２ｂ，５３，５４ａ，５４ｂがそれぞれ製造され、最終的に各キャビネット５２ａ，５２ｂ，５３，５４ａ，５４ｂを組み合わせ、ネジやビス等の締付固定具等によって固定することで、全体のキャビネット本体５が製造される。
【００６１】
そのうち、各下部キャビネット５２ａ，５２ｂは、左右方向に開閉する引き戸式の第一扉５２１及び第二扉５２２を有している。外側の第一扉５２１は木製であり、内側の第二扉５２２は木製の枠に板ガラスで形成された窓部（符号省略）を有している。この第一扉と第二扉の素材とその構成態様は逆でも良いし、同じでも良い。符号５２３は棚板（図１で破線で示す、図４も参照）を示している。
【００６２】
中央のテレビ収容用キャビネット５３には、テレビ２（破線で示す）が収容される。また収容したテレビ２のテレビ画面前方に位置する画面開口部（符号省略）には、その画面開口部を閉鎖するように上記した一対の開閉扉３ａ，３ｂが配置されている。この開閉扉３ａ，３ｂは、キャビネット１天井側に配置された吊下駆動装置６２から吊り下げられている。この各開閉扉３ａ，３ｂの構造についての詳細は、後述する。符号５３１は棚板（図１で破線で示す、図４も参照）を示している。
【００６３】
各側方キャビネット５４ａ，５４ｂ（図２の左側の断面も参照）は、左右方向にスライドする引き戸式の扉である側方扉５４１を有している。この各側方扉５４１は、中央のテレビ収容用キャビネット５３側にスライドさせ、画面開口部を閉じている開閉扉３ａ，３ｂの前方（図２で矢印Ｄ方向）に移動できる。本実施例では、側方扉５４１は板ガラスで構成された窓（符号省略）を有している。
【００６４】
図７に示すように、側方扉５４１の上端面側には、端部外方に突出する案内部材５４２が設けてあり、その上方（後述するケーシング６１の正面板６１１）に案内部材５４２が移動するガイド溝６１６が設けてある。側方扉５４１の下端部（図５参照）にも同様に、下部キャビネット５２ｂの天板５２４に設けてあるガイド溝５２５に対応する案内部材５２６が設けてある。
【００６５】
図２及び図７に示すように、側方キャビネット５４ａ，５４ｂを閉じた各側方扉５４１の後方に、左右両側に開いた各開閉扉３ａ，３ｂが収まるように構成されている。符号５４３は棚板（図１で破線で示す、図５も参照）を示している。
【００６６】
（開閉扉３ａ，３ｂ）
図１に示すように、キャビネット１の扉構造を構成する左右一対の各開閉扉３ａ，３ｂは、木製の枠体３１と、該枠体で囲まれた開閉扉本体３２を有している。リモコンから発せられる赤外線信号は、信号通過部である上記した開閉扉本体３２を通過する。
【００６７】
図８は、キャビネットの扉構造を構成する開閉扉本体の分解斜視説明図である。
詳しくは、図７（丸で囲んだ部分に対応する部分拡大説明図）及び図８に示すように、開閉扉本体３２は、向かい合わせに配置された透視性を有する一対の板ガラス３２１，３２２と、該板ガラス３２１，３２２の間に挟まれるようにして設けられた突板３２３と、を備えて構成してある。板ガラス３２１は、板ガラス３２１の透視性を妨げない、例えば透明または半透明の接着剤で突板３２３に接着されている。図８で符号３２４，３２５は接着剤層を示している。上記赤外線信号はこの接着剤層３２４，３２５を通過することは、言うまでもない。
【００６８】
本実施例では、各板ガラス３２１，３２２の厚みが２．０ｍｍ、突板３２３の厚みが０．２５ｍｍ、開閉扉本体３２全体の厚みが４．８ｍｍである。この突板３２３は、リモコンから発せられる赤外線信号が通過できる厚みとなっている。この突板３２３の厚みは、赤外線信号が通過できる範囲で適宜設定することができ、特に上記した値に限定されない。
【００６９】
また図７に示すように、枠体３１には、後述する吊下駆動装置６２の駆動により、左右方向（キャビネット１の長さ方向）に移動する棒状で吊下用の連結部３１１が上方に突出して設けてある。この連結部３１１は、各開閉扉３ａ，３ｂの幅方向に所要の間隔をおいて所要数（本実施例では合計二箇所）に設けてある。
【００７０】
以上のような構成により、閉じた開閉扉３ａ，３ｂ（図１参照）の後方に位置するテレビ２の信号受信部２１は、リモコンから発せられる赤外線信号を受信することができる。また中に突板３２３を挟んだ開閉扉本体３２は透視性を有していないので、本実施例のように、テレビ２を視聴しないときは開閉扉３ａ，３ｂを閉じることで、テレビ２が外から見えないように隠すことができる。
【００７１】
このように、開閉扉３ａ，３ｂに占める信号通過部である開閉扉本体３２の面積を広くしても、閉じた開閉扉３ａ，３ｂ後方のテレビ２を外から見えないように隠すことができる。したがって、製造メーカーや機種によって信号受信部２１の位置が異なる各種の表示装置に適宜対応することができる。
【００７２】
更に、突板３２３は板ガラス３２１，３２２で挟まれているものの、板ガラス３２１，３２２は透視性を有しているので、突板３２３の木目がキャビネット１正面から視認できる。これにより、全体が木製であるキャビネット１とのデザイン上の一体感は損なわれにくい。特に本実施例のように、大画面テレビ２を収容する場合、その前方に位置する開閉扉３ａ，３ｂはキャビネット１全体の大部分の面積を占めると共に、一番目に入るキャビネット１の中央に位置しているため、上記したデザイン上の効果は顕著である。
【００７３】
なお、キャビネット１の表面に使用されている突板と同じ材種の木材で各開閉扉３ａ，３ｂの突板３２を製造することにより、開閉扉３ａ，３ｂとキャビネット１全体のデザイン上の一体感をより向上させることもできる。
【００７４】
また更に、突板３２３は板ガラス３２１，３２２に挟まれている。よって、突板３２３単独の場合と比べて、開閉扉本体３２に埃や汚れが付着しにくく、また付着しても濡れた雑巾で簡単に拭きとることができる。
【００７５】
（扉開閉装置６）
上記したように、図２に示す扉開閉装置６は、開閉扉３ａ，３ｂを駆動させる吊下駆動装置６２（図２及び図３参照）と、センサ制御ボックス４内に収容されている電圧検知センサ及び開閉制御装置を有している。
【００７６】
吊下駆動手段である吊下駆動装置６２は、キャビネット本体５の画面開口部を閉じるように開閉扉３ａ，３ｂを吊り下げると共に、吊り下げた開閉扉３ａ，３ｂを開閉可能に駆動させる。
【００７７】
センサ制御ボックス４内の電圧検知手段である電圧検知センサは、テレビ２に流れる電流の電圧を検知する。本実施例では、電圧検知センサが、テレビ２の電源コード２２に流れる電流の電圧を検知するように設計されている。詳しくは、図２に示すように、テレビ２の電源コード２２の差し込みプラグ２２が、センサ制御ボックス４内の電圧検知センサから導出されている接続コード４１に接続される。更に、センサ制御ボックス４からは、テレビ２の電源を取るための電源コード４１ａが導出されている。この電源コード４１ａは、後述するキャビネット１内のコンセント７４（図５参照）に接続されている。
【００７８】
センサ制御ボックス４内の開閉制御手段である開閉制御装置は、電圧検知センサが検知した電圧を基に吊下駆動装置６２を制御する。図２で符号６２６は、センサ制御ボックス４内の開閉制御装置から吊下駆動装置６２へ制御信号を伝える配線を概略的に示している。
【００７９】
図２に示すように、上記した扉開閉装置６のケーシング６１は、木製素材で形成された正面視細長状の正面板６１１、左側面板６１２（図２では見えず、図６参照）、右側面板６１３、背面板６１４で主に構成される。ケーシング６１は、キャビネット本体５の天井部にネジやビス等の締付固定具６１５（図６及び図７参照）によって固定されている。
【００８０】
図２及び図７に示すように、吊下駆動装置６２は、ケーシング６１内部の正面寄りにケーシング６１の長さ方向に沿って取り付けられている。詳しくは、図７に示すように、吊下駆動装置６２は、ケーシング６１内部の長さ方向に沿って設けてある細長状の板体である固定板６１７に、ネジやビス等の締付固定具６１８で固定されている。
【００８１】
図７に示す吊下駆動装置６２は、キャビネット１の長手方向の左右両側に離れて位置する一対のプーリ６２１,６２１（図７では一方のプーリが表れている）と、プーリ６２１，６２１間に巻き掛けたベルト６２２とを有している。そして、このベルト６２２には上記した各開閉扉３ａ，３ｂの連結部３１１が間接的に連結しており、このベルト６２２を電動モータ６２３により回動させることで、開閉扉３ａ，３ｂを開閉駆動させることができうる。
【００８２】
図７に示すように、符号６２４は、開閉扉３ａ，３ｂの開閉方向に沿って設けてあるガイドレールを示している。符号６２５は、ガイドレール６２４を走行する案内車輪を示している。案内車輪６２５は、各開閉扉３ａ，３ｂの連結部３１１に間接的に連結して、開閉扉３ａ，３ｂから受ける荷重を支えており、開閉扉３ａ，３ｂのスライド移動と共にガイドレール６２４上を走行する。
【００８３】
図２に示すセンサ制御ボックス４内に収容されている開閉制御装置は、電圧検知センサが検知した電圧が予め設定された設定電圧よりも高い場合に、テレビ２がＯＮの状態になったと判断して開閉扉３ａ，３ｂが開いた状態になるように吊下駆動装置６２を制御する。また電圧検知センサが検知した電圧が予め設定された設定電圧よりも低い場合に、テレビ２がＯＦＦの状態になったと判断して開閉扉３ａ，３ｂを閉じた状態になるように吊下駆動装置６２を制御する。
【００８４】
また両側から閉まる開閉扉で指を挟まないように、開閉制御装置は開閉扉３ａ，３ｂの間に物が挟まったことを検知して閉鎖中の開閉扉３ａ，３ｂの動きを止めるか、あるいは動きを止めると共に反対の開く動作に切り替える、安全装置（図面では表れない）を備えている。
【００８５】
図２で符号７１は、テレビ収容用キャビネット５３内を照らすダウンライトを示している。ダウンライト７１はテレビ収容用キャビネット５３の天井部分に取り付けてある。ダウンライト７１は、センサ制御ボックス４内からの制御信号を受けて、開閉扉３ａ，３ｂが開くと同時に点灯するようになっている。符号７１１は、センサ制御ボックス４内からダウンライト７１へ制御信号を伝える配線を概略的に示している。また側方キャビネット５４ａ，５４ｂ内にもダウンライト７５が設けてある。なお、符号７３は各種の配線（図示省略）を通す配線口を示している。
【００８６】
図５で下部キャビネット５２ｂの背面側下部に図示している符号７４は、テレビ２、センサ制御ボックス４内の電圧検知センサ及び開閉制御装置、ダウンライト７１、７５等の電源を取るためのコンセントを示している。このコンセント７４からは、差し込みプラグ９を備えた電源コードがキャビネット１外に導出されている。
【００８７】
（作  用）
本実施例に係るキャビネット１は次のように作用する。
図１に示すキャビネット１内にテレビ２を収容する。図２に示すテレビ２の電源コード２２の差し込みプラグ２２を、センサ制御ボックス４内の電圧検知センサから導出されている接続コード４１に接続する。またキャビネット１から導出された電源コードの差し込みプラグ９（図５参照）を、キャビネット１を配置した部屋のコンセント等に差し込む。
【００８８】
図１に示すように、テレビ２を視聴しないとき（テレビ２の電源はＯＦＦの状態）は、一対の開閉扉３ａ，３ｂが閉じており、テレビ２は開閉扉３ａ，３ｂの後方に隠れて外から見えない。よって、仮に狭いリビングに置いたとしても、大画面テレビ２から受ける圧迫感はない。
【００８９】
［テレビ２を視聴するとき］
次にテレビ電源をＯＮの状態にすべく、リモコン（図示省略）を操作する。そうすると、本実施例では、リモコンから発せられる赤外線信号が図１で右側の開閉扉３ｂの開閉扉本体３２を通過し、閉じた開閉扉３ｂの後方に位置するテレビ２の信号受信部２１に受信される。これにより、テレビ電源がＯＮの状態になる。
【００９０】
そして、その状態の電圧をセンサ制御ボックス４内の電圧検知センサが検知する。また、同じくセンサ制御ボックス４内の開閉制御装置が、電圧検知センサが検知した電圧と予め設定された設定電圧とを比較演算し、検知した電圧の方が高いと判断する。これにより、開閉制御装置がテレビ電源がＯＮの状態になったと判断して、開閉扉３ａ，３ｂが開いた状態になるように吊下駆動装置６２を制御する。これにより、開閉扉３ａ，３ｂが両側に開き、テレビ電源がＯＮの状態になったテレビ２を視聴できるようになる。
【００９１】
［テレビ２の視聴を止めるとき］
テレビ２の視聴を止めるときは、まずはテレビ電源をＯＦＦの状態にすべく、リモコン（図示省略）を操作する。そうすると、リモコンから発せられる赤外線信号がテレビ２の信号受信部２１（図１参照）に受信され、テレビ電源がＯＦＦの状態になる。
【００９２】
そして、テレビ２を視聴する場合と同様に、その状態の電圧を電圧検知センサが検知する。更に開閉制御装置が、電圧検知センサが検知した電圧と予め設定された設定電圧とを比較演算し、検知した電圧の方が低いと判断する。更に、開閉制御装置がテレビ電源がＯＦＦの状態になったと判断して、開閉扉３ａ，３ｂが開いた状態になるように吊下駆動装置６２を制御する。これにより、開閉扉３ａ，３ｂが両側から中央に移動して画面開口部（符号省略）を閉じ、図１に示すようにテレビ２は開閉扉３ａ，３ｂの後方に隠れる。
【実施例２】
【００９３】
図９ないし図１１は、本発明に係る表示装置収容構造体の一実施例を示す説明図である。
【００９４】
図９は、表示装置収容構造体の正面視説明図であり、左右一対の開閉扉が閉じている状態を示している。
図１０は、図９に示す表示装置収容構造体の正面視説明図であり、左右一対の開閉扉が開いて中に収容されたテレビが見えている状態を示している。
図１１は、図９のIII−III部分に対応する断面を示す概略説明図である。
【００９５】
なお、実施例１と同一または同等箇所には同一の符号を付して示している。また、実施例１で説明した箇所については、説明を省略し、主に相異点を説明する。
【００９６】
本実施例に係る表示装置収容構造体１ａ（図１参照）は、実施例１に係るキャビネット１（図１参照）と相違して、図１１に示すように部屋の壁面８ａに沿わせた状態で固定して設置できる。そして、図９に示すように、後述する一対の開閉扉３ｃ，３ｄが閉じた状態では、図１０で表れているテレビ２が開閉扉３ｃ，３ｄの後方に隠れて外から見えなくなり、表示装置収容構造体１ａは部屋の他の壁面８ｂ，８ｃと一体化して違和感がない。      
【００９７】
詳しくは、図９及び図１０に示すように、表示装置収容構造体１ａは、テレビ２等の表示装置が収容される収容構造体本体５ａをその中央付近に有している。収容構造体本体５ａは、収容したテレビ画面前方に配置される開口部５５（図１０参照）を有し、開口部５５は左右両側に開閉する引き戸式の一対の開閉扉３ｃ，３ｄによって閉鎖される。
【００９８】
本実施例では、図１１に示すように、壁掛けタイプの薄型大画面テレビ２を収容した場合を図示している。符号２１は、テレビ２の所要の位置（本実施例ではテレビ２の下部側）に赤外線信号を受信する信号受信部を備えている。
【００９９】
収容構造体本体５ａの内部は、所要数の棚板５６１，５６２により上下、縦横に仕切られている。棚板５６１の上方にテレビ２を配置でき、棚板５６の下方にハードディスクビデオレコーダやビデオデッキ等のＡＶ機器９１を配置することができる。
【０１００】
表示装置収容構造体１ａは、収容構造体本体５ａの周りに壁部構成体５７を多数有している。壁部構成体５７を構成する正面側の壁部５７１（以下、「正面壁部」という）は、突板を張った化粧合板で形成され、図９及び図１１に示すように、開口部５５を閉じた開閉扉３ｃ，３ｄと共に部屋の壁面側に平面状の壁を構成する。
【０１０１】
左右両側に開いた開閉扉３ｃ，３ｄ（図１０参照）は、収容構造体本体５ａの左右両側に位置する壁部構成体５の壁部５７１後方にスライド移動し、正面から隠れて完全に見えないか、あるいは殆ど見えない。
【０１０２】
図１及び図１１に示すように、右側の開閉扉３ｄは、板状の扉上部３３ｄと、板状の信号通過部である信号通過板３２ｄと、板状の扉下部３４ｄの三枚の板状体が連結されて全体が構成される一枚の扉である。リモコン（図示省略）から発せられる赤外線信号は、扉上部３３ｄと扉下部３４ｄの間に位置する信号通過板３２ｄを通過し、信号通過板３２ｄの後方に位置するテレビ２の信号受信部２１に受信される。
【０１０３】
各扉上部３３ｄ及び扉下部３４ｄは突板を張った化粧合板で形成され、上記したように、信号通過板３２ｄと連結して一枚の開閉扉３ｄを構成している。この突板は、デザイン上の一体感を図るために、上記した壁部構成体５の正面壁部５７１に使われている突板と同じ材種の木材から製造されている。
【０１０４】
図８に示した開閉扉３ｃ，３ｄ本体と同じように、信号通過板３２ｄ（詳細図は省略）は、向かい合わせに配置された透視性を有する一対の板ガラスと、該板ガラスの間に挟まれるようにして設けられた突板と、を備えて構成してある。この突板も同様に、デザイン上の一体感を図るために、上記した壁部構成体５の正面壁部に使われている突板と同じものが使用されている。
【０１０５】
また左側の開閉扉３ｃについても、右側の開閉扉３ｄと同様に、板状の扉上部３３ｃと、板状の信号通過部である信号通過板３２ｃと、板状の扉下部３４ｃの三枚の板状体が連結されて全体が構成される一枚の扉である。その構成態様は、開閉扉３ｄと同じであるため、説明を省略する。
【０１０６】
図１１に示すように、収容構造体本体５ａの上部側に位置する壁部構成体５７内部の底板５７２上には、扉開閉装置６を構成する吊下駆動装置６２、及びセンサ制御ボックス４内に収容されている電圧検知センサと開閉制御装置が設けてある。
【０１０７】
その他の構成及び作用・効果は、既に説明した実施例１と大体において同じであるため、説明を省略する。
【０１０８】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【０１０９】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【０１１０】
【図１】本発明に係る表示装置収容構造体であるキャビネットの一実施例を示す正面視説明図。
【図２】図１に示すキャビネットを水平方向に断面して内部構造を表した平面視説明図。
【図３】図１に示すキャビネットの右側面視説明図。
【図４】図１のI−I部分に対応する断面を示す概略説明図。
【図５】図１のII−II部分に対応する断面を示す概略説明図。
【図６】図１で丸Ａで囲んだ部分に対応する部分拡大説明図。
【図７】図５で丸Ｂで囲んだ部分に対応する部分拡大説明図。
【図８】キャビネットの扉構造を構成する開閉扉本体の分解斜視説明図。
【図９】本発明に係る表示装置収容構造体の一実施例を示す正面視説明図であり、左右一対の開閉扉が開いて中に収容されたテレビが見えている状態を示している。
【図１０】図９に示す表示装置収容構造体の正面視説明図であり、左右一対の開閉扉が開いて中に収容されたテレビが見えている状態を示している。
【図１１】図９のI−I部分に対応する断面を示す概略説明図。
【符号の説明】
【０１１１】
１ キャビネット
１ａ 表示装置収容構造体
２ テレビ
３ａ〜３ｄ 開閉扉
４ センサ制御ボックス
５ キャビネット本体
６ 扉開閉装置
８ａ，８ｂ，８ｃ 壁面
２１ 信号受信部
３１ 枠体
３２ 開閉扉本体
３３ｃ，３３ｄ 扉上部
３２ｃ，３２ｄ 信号通過板
３４ｃ，３４ｄ 扉下部
５１ 台輪
５２ａ，５２ｂ 下部キャビネット
５３ テレビ収容用キャビネット
５４ａ，５４ｂ 側方キャビネット
５５ 開口部
５６ 棚板
５７ 壁部構成体
６１ ケーシング
６２ 吊下駆動装置
７１ ダウンライト
７２ 配線
７３ 配線口
７４ コンセント
９１ ＡＶ機器
３１１ 連結部
３２１，３２２ 板ガラス
３２３ 突板
３２４，３２５ 接着剤層
５２１ 第一扉
５２２ 第二扉
５２３，５３１，５４３，５６１，５６２ 棚板
５２４ 天板
５２５ ガイド溝
５２６ 案内部材
５４１ 側方扉
５４１ 各側方扉
５４２ 案内部材
５７１ 壁部
５７２ 底板
６１１ 正面板
６１２ 左側面板
６１３ 右側面板
６１４ 背面板
６１５ 締付固定具
６１６ ガイド溝
６２１ プーリ
６２２ ベルト
６２３ 電動モータ
６２４ ガイドレール
６２５ 案内車輪
９ 差し込みプラグ
【図２】
2008101348.tif 000003
【図３】
2008101348.tif 000004
【図４】
2008101348.tif 000005
【図５】
2008101348.tif 000006
【図６】
2008101348.tif 000007
【図７】
2008101348.tif 000008
【図８】
2008101348.tif 000009
【図１１】
2008101348.tif 000010
【図１】
2008101348.tif 000011
【図９】
2008101348.tif 000012
【図１０】
2008101348.tif 000013